(57)【要約】【課題】アクセスネットワーク２の通信状態に応じて、Ｍ２Ｍ通信を規制することによって、Ｍ２Ｍ通信用のデータの送信効率を上げる。【解決手段】本発明に係る通信システムでは、アクセスネットワーク２は、通信状態に応じて、Ｍ２Ｍプラットフォーム１、Ｍ２Ｍアプリケーションサーバ＃１〜＃Ｎ及びＭ２Ｍデバイス＃１/＃１１/＃１２のいずれかに対して、Ｍ２Ｍアプリケーション３０による通信方法を指示する指示情報を送信するように構成されており、Ｍ２Ｍプラットフォーム１は、かかる指示情報に基づいて、Ｍ２Ｍアプリケーション３０による通信方法を制御するように構成されている。【選択図】図１
2014158190.tif 000002
【特許請求の範囲】
【請求項１】
アクセスネットワークと、機械間通信用プラットフォームと、該機械間通信用プラットフォームに接続されている機械間通信用アプリケーションサーバと、機械間通信用アプリケーションを含むデバイスとを含む通信システムであって、
前記アクセスネットワークは、通信状態に応じて、前記機械間通信用プラットフォーム、前記機械間通信用アプリケーションサーバ及び前記デバイスの少なくとも１つに対して、前記機械間通信用アプリケーションによる通信方法を指示する指示情報を送信するように構成されており、
前記デバイスは、前記指示情報に基づいて、前記機械間通信用アプリケーションによる通信方法を制御するように構成されていることを特徴とする通信システム。
【請求項２】
前記指示情報は、サービスクラス或いはアプリケーションを指定することができるように構成されており、
前記デバイスは、前記指示情報によって指定された前記サービスクラス或いは前記アプリケーションに対応する前記機械間通信用アプリケーションによる通信方法を制御するように構成されていることを特徴とする請求項１に記載の通信システム。
【請求項３】
前記機械間通信用プラットフォームは、前記デバイスに対して、前記指示情報を受信することができるか否かについて設定することができるように構成されていることを特徴とする請求項１又は２に記載の通信システム。
【請求項４】
前記機械間通信用プラットフォームは、前記デバイスに対して、前記指示情報を受信した際の動作について設定することができるように構成されていることを特徴とする請求項１乃至３のいずれか一項に記載の通信システム。
【請求項５】
前記通信方法の制御は、前記機械間通信用アプリケーションによるデータの送信頻度や送信量や再送タイミングや送信すべき内容の制御であることを特徴とする請求項１乃至４のいずれか一項に記載の通信システム。
【請求項６】
アクセスネットワークと、機械間通信用プラットフォームと、該機械間通信用プラットフォームに接続されている機械間通信用アプリケーションサーバと、機械間通信用アプリケーションを含むデバイスとを含む通信システムにおいて用いられるように構成されており、該アクセスネットワークを制御するように構成されている制御装置であって、
前記アクセスネットワークにおける通信状態を検出するように構成されている検出部と、
前記アクセスネットワークにおける通信状態に応じて、前記機械間通信用プラットフォーム、前記機械間通信用アプリケーションサーバ及び前記デバイスの少なくとも１つに対して、前記機械間通信用アプリケーションによる通信方法を指示する指示情報を送信するように構成されている送信部とを具備することを特徴とする制御装置。
【請求項７】
アクセスネットワークと、機械間通信用プラットフォームと、該機械間通信用プラットフォームに接続されている機械間通信用アプリケーションサーバと、機械間通信用アプリケーションを含むデバイスとを含む通信システムにおいて該機械間通信用アプリケーションサーバとして動作するアプリケーションサーバであって、
前記アクセスネットワークから、前記機械間通信用アプリケーションによる通信方法を指示する指示情報を受信するように構成されている受信部と、
前記指示情報に基づいて、前記機械間通信用アプリケーションによる通信方法を制御するように構成されている制御部とを具備することを特徴とするアプリケーションサーバ。
【請求項８】
前記制御部は、前記アクセスネットワークに対して前記指示情報を問い合わせるように構成されていることを特徴とする請求項７に記載のアプリケーションサーバ。
【請求項９】
アクセスネットワークと、機械間通信用プラットフォームと、該機械間通信用プラットフォームに接続されている機械間通信用アプリケーションサーバとを含む通信システムにおいて用いられるように構成されており、機械間通信用アプリケーションを含むデバイスであって、
前記機械間通信用アプリケーションは、
前記アクセスネットワーク、前記機械間通信用プラットフォーム及び前記機械間通信用アプリケーションサーバのいずれかから、前記機械間通信用アプリケーションによる通信方法を指示する指示情報を受信するように構成されている受信部と、
前記指示情報に基づいて、前記機械間通信用アプリケーションによる通信方法を制御するように構成されている制御部とを具備することを特徴とするデバイス。
【請求項１０】
前記制御部は、前記アクセスネットワーク、前記機械間通信用プラットフォーム及び前記機械間通信用アプリケーションサーバのいずれに対して前記指示情報を問い合わせるように構成されていることを特徴とする請求項９に記載のデバイス。
【発明の詳細な説明】
【技術分野】
【０００１】
本発明は、通信システム、制御装置、アプリケーションサーバ及びデバイスに関する。
【背景技術】
【０００２】
従来、ネットワークに繋がれた機械同士が人間を介在せずに通信を行うことができる通信システムが知られている。なお、かかる通信は、「Ｍ２Ｍ（Ｍａｃｈｉｎｅ-ｔｏ-Ｍａｃｈｉｎｅ）通信」と呼ばれている。
【０００３】
かかる移動通システムにおいて、Ｍ２Ｍ通信は、Ｍ２Ｍデバイス内のＭ２Ｍアプリケーション及びＭ２Ｍアプリケーションサーバによって行われる。
【先行技術文献】
【非特許文献】
【０００４】
【非特許文献１】３ＧＰＰ  ＴＳ２２.０１１
【非特許文献２】ＥＴＳＩ  ＴＳ  １０２  ６９０
【発明の概要】
【発明が解決しようとする課題】
【０００５】
しかしながら、従来の通信システムでは、Ｍ２Ｍデバイス内のＭ２Ｍアプリケーション及びＭ２Ｍアプリケーションサーバは、アクセスネットワークの状態を交換する手段を具備していないため、例えば、アクセスネットワークの負荷増加等によりＭ２Ｍ通信用のデータが正しく送受信処理できない状態であっても、Ｍ２Ｍデバイス内のＭ２Ｍアプリケーション及びＭ２Ｍアプリケーションサーバは、かかるＭ２Ｍ通信を開始しアクセスネットワークの負荷を増加させてしまうといった問題点があった。
【０００６】
また、アクセスネットワークは、アクセス規制により、Ｍ２Ｍ通信を抑制する手段について持ち合わせているが、アクセスネットワークが輻輳した後にしか、かかるアクセス規制を発動することができない。
【０００７】
また、Ｍ２Ｍ通信を抑制する手段によっては、アクセス規制を発動するために、Ｍ２Ｍデバイスとアクセスネットワークとの間で信号の送受信を必要とする等、アクセスネットワークの輻輳状態において有効にＭ２Ｍデバイス内のＭ２Ｍアプリケーションの通信を抑制することができないという問題点があった。
【０００８】
また、上述のアクセス規制では、通常の通信状態において、アクセスネットワークの空き状況等の通信状態に応じて、Ｍ２Ｍアプリケーションによるデータの送信頻度やデータ量等を上げることはできない。
【０００９】
そこで、本発明は、上述の課題に鑑みてなされたものであり、アクセスネットワークの通信状態に応じて、Ｍ２Ｍ通信を制御することによって、Ｍ２Ｍ通信用のデータの送信効率を上げることができる通信システム、制御装置、アプリケーションサーバ及びデバイスを提供することを目的とする。
【００１０】
また、本発明は、通常の通信状態において、アクセスネットワークの空き状況等の通信状態に応じて、Ｍ２Ｍアプリケーションによるデータの送信頻度やデータ量等を上げることができる通信システム、制御装置、アプリケーションサーバ及びデバイスを提供することを目的とする。
【課題を解決するための手段】
【００１１】
本発明の第１の特徴は、アクセスネットワークと、機械間通信用プラットフォームと、該機械間通信用プラットフォームに接続されている機械間通信用アプリケーションサーバと、機械間通信用アプリケーションを含むデバイスとを含む通信システムであって、前記アクセスネットワークは、通信状態に応じて、前記アクセスネットワーク、前記機械間通信用プラットフォーム及び前記機械間通信用アプリケーションサーバの少なくとも１つに対して、機械間通信用アプリケーションによる通信方法を指示する指示情報を送信するように構成されており、前記機械間通信用プラットフォームは、前記指示情報に基づいて、前記機械間通信用アプリケーションによる通信方法を制御するように構成されていることを要旨とする。
【００１２】
本発明の第２の特徴は、アクセスネットワークと、機械間通信用プラットフォームと、該機械間通信用プラットフォームに接続されている機械間通信用アプリケーションサーバと、機械間通信用アプリケーションを含むデバイスとを含む通信システムにおいて用いられるように構成されており、該アクセスネットワークを制御するように構成されている制御装置であって、前記アクセスネットワークにおける通信状態を検出するように構成されている検出部と、前記アクセスネットワークにおける通信状態に応じて、前記アクセスネットワーク、前記機械間通信用プラットフォーム及び前記機械間通信用アプリケーションサーバの少なくとも１つに対して、前記機械間通信用アプリケーションによる通信方法を指示する指示情報を送信するように構成されている送信部とを具備することを要旨とする。
【００１３】
本発明の第３の特徴は、アクセスネットワークと、機械間通信用プラットフォームと、該機械間通信用プラットフォームに接続されている機械間通信用アプリケーションサーバと、機械間通信用アプリケーションを含むデバイスとを含む通信システムにおいて該機械間通信用アプリケーションサーバとして動作するアプリケーションサーバであって、前記アクセスネットワークから、前記機械間通信用アプリケーションによる通信方法を指示する指示情報を受信するように構成されている受信部と、前記指示情報に基づいて、前記機械間通信用アプリケーションによる通信方法を制御するように構成されている制御部とを具備することを要旨とする。
【００１４】
本発明の第４の特徴は、アクセスネットワークと、機械間通信用プラットフォームと、該機械間通信用プラットフォームに接続されている機械間通信用アプリケーションサーバとを含む通信システムにおいて用いられるように構成されており、機械間通信用アプリケーションを含むデバイスであって、前記機械間通信用アプリケーションは、前記アクセスネットワークと、前記機械間通信用プラットフォーム及び前記機械間通信用アプリケーションサーバのいずれかから、前記機械間通信用アプリケーションによる通信方法を指示する指示情報を受信するように構成されている受信部と、前記指示情報に基づいて、記機械間通信用アプリケーションによる通信方法を制御するように構成されている制御部とを具備することを要旨とする。
【発明の効果】
【００１５】
以上説明したように、本発明によれば、アクセスネットワークの通信状態に応じて、Ｍ２Ｍ通信を制御することによって、Ｍ２Ｍ通信用のデータの送信効率を上げることができる通信システム、制御装置、アプリケーションサーバ及びデバイスを提供することができる。
【００１６】
また、本発明によれば、通常の通信状態において、アクセスネットワークの空き状況等の通信状態に応じて、Ｍ２Ｍアプリケーションによるデータの送信頻度やデータ量等を上げることができる通信システム、制御装置、アプリケーションサーバ及びデバイスを提供することができる。
【図面の簡単な説明】
【００１７】
【図１】本発明の第１の実施形態に係る通信システムの全体構成図である。
【図２】本発明の第１の実施形態に係る制御装置２Ａの機能ブロック図である。
【図３】本発明の第１の実施形態に係るＭ２Ｍアプリケーションサーバ＃１〜＃Ｎの機能ブロック図である。
【図４】本発明の第１の実施形態に係るＭ２Ｍデバイス＃１/＃１１/＃１２の機能ブロック図である。
【発明を実施するための形態】
【００１８】
（本発明の第１の実施形態に係る通信システム）
図１乃至図４を参照して、本発明の第１の実施形態に係る通信システムについて説明する。なお、本実施形態に係る通信システムは、有線通信ネットワーク及び無線通信ネットワークの少なくとも一方を具備している。
【００１９】
図１を参照して、本発明の第１の実施形態に係る通信システムについて説明する。本実施形態では、本実施形態に係るアクセスネットワークとして、ＷＣＤＭＡ方式やＬＴＥ（Ｌｏｎｇ  Ｔｅｒｍ  Ｅｖｏｌｕｔｉｏｎ）方式のアクセスネットワークを例示して説明するが、本発明は、ＷＣＤＭＡ方式やＬＴＥ方式以外のアクセスネットワークにも適用可能である。
【００２０】
図１に示すように、本実施形態に係る通信システムは、Ｍ２Ｍプラットフォーム（Ｍ２Ｍサービスレイヤ）１と、アクセスネットワーク２と、Ｍ２Ｍプラットフォーム１に接続されているＭ２Ｍアプリケーションサーバ＃１〜＃Ｎと、Ｍ２Ｍアプリケーション（例えば、スマートメータの検針データ送信用アプリケーションや自動販売機の在庫管理データ送信用アプリケーション等）３０を含むＭ２Ｍデバイス＃１/＃１１/＃１２とを具備している。
【００２１】
ここで、Ｍ２Ｍデバイス＃１は、アクセスネットワーク２に直接接続されるように構成されており、Ｍ２Ｍデバイス＃１１/＃１２は、ゲートウェイ１０を介してアクセスネットワーク２に接続されるように構成されている。
【００２２】
また、アクセスネットワーク２は、コアネットワーク（ＣＮ：Ｃｏｒｅ  Ｎｅｔｗｏｒｋ）３及び無線アクセスネットワーク（ＲＡＮ：Ｒａｄｉｏ  Ａｃｃｅｓｓ  Ｎｅｔｗｏｒｋ）４によって構成されている。
【００２３】
なお、アクセスネットワーク２には、アクセスネットワーク２を制御する制御装置２Ａが設けられている。ここで、コアネットワーク３を制御する制御装置２Ａ及び無線アクセスネットワーク４を制御する制御装置２Ａが別々に設けられていてもよい。
【００２４】
図２に示すように、制御装置２Ａは、検出部１１と、送信部１２とを具備している。
【００２５】
検出部１１は、アクセスネットワーク２における通信状態を検出するように構成されている。
【００２６】
例えば、検出部１１は、かかる通信状態として、コアネットワーク或いは無線アクセスネットワークにおける負荷や通信成功率等の通信品質情報を検出するように構成されている。
【００２７】
送信部１２は、アクセスネットワーク２における通信状態に応じて、Ｍ２Ｍプラットフォーム１、Ｍ２Ｍアプリケーションサーバ＃１〜＃Ｎ及びＭ２Ｍデバイス＃１/＃１１/＃１２の少なくとも１つに対して、Ｍ２Ｍアプリケーション３０による通信方法（データの送信頻度や送信量や再送タイミングや送信すべき内容）を指示する指示情報を送信するように構成されている。
【００２８】
かかる指示情報は、特定のサービスクラス或いは特定のアプリケーションを指定することができるように構成されていてもよい。
【００２９】
なお、送信部１２は、検出部１１によって検出された通信状態に基づいて、Ｍ２Ｍアプリケーション３０による通信方法を制御するか否かについて判断したり、Ｍ２Ｍアプリケーション３０による通信方法を決定したりするように構成されていてもよい。
【００３０】
ここで、送信部１２は、Ｍ２Ｍアプリケーション３０による通信方法の制御が不要であると判断した場合には、上述の指示情報を送信しないように構成されていてもよい。
【００３１】
例えば、検出部１１が、アクセスネットワーク２における負荷が最大許容量（例えば、７０％）よりも大きいと検出した場合、送信部１２は、特定のＭ２Ｍアプリケーション３０又は全部のＭ２Ｍアプリケーション３０による通信方法を制御するため、Ｍ２Ｍプラットフォーム１、Ｍ２Ｍアプリケーションサーバ＃１〜＃Ｎ及びＭ２Ｍデバイス＃１/＃１１/＃１２の少なくとも１つに対して、上述の指示情報を送信するように構成されている。
【００３２】
ここで、上述の送信頻度は、Ｍ２Ｍ通信をＯＦＦにするか或いは一定時間Ｍ２Ｍ通信を中断させるための情報を含む。
【００３３】
また、送信部１２は、１Ｍｂｐｓ以下や１Ｍｂｙｔｅ以下というように、送信可能なデータのサイズや速度を制限するための指示情報を送信することも可能である。
【００３４】
なお、検出部１１及び送信部１２は、コアネットワーク３を制御する制御装置２Ａ及び無線アクセスネットワーク４を制御する制御装置２Ａの両方に設けられていてもよい。
【００３５】
また、送信部１２は、アクセスネットワークにおける過去の通信状態や将来の通信状態を予測して、上述の指示情報を生成して送信するように構成されていてもよい。
【００３６】
図３に示すように、Ｍ２Ｍアプリケーションサーバ＃１〜＃Ｎは、受信部２１と、制御部２２とを具備している。
【００３７】
受信部２１は、アクセスネットワーク２から上述の指示情報を受信するように構成されている。
【００３８】
制御部２２は、受信部２１によって受信された指示情報に基づいて、Ｍ２Ｍアプリケーション３０による通信方法（データの送信頻度や送信量や再送タイミングや送信すべき内容）を制御するように構成されている。
【００３９】
例えば、制御部２２は、アクセスネットワーク２より特定のＭ２Ｍアプリケーション３０によるＭ２Ｍ通信を制御するように指示する指示情報を受信すると、Ｍ２Ｍアプリケーションサーバ＃１〜＃Ｎ又はＭ２Ｍプラットフォーム１は、かかる指示情報に基づいて、特定のＭ２Ｍアプリケーション３０によるＭ２Ｍ通信用のデータの送信を停止したり、特定のＭ２Ｍアプリケーション３０によるＭ２Ｍ通信用のデータを一定期間保持した後に送信したり、特定のＭ２Ｍアプリケーション３０によるＭ２Ｍ通信用のデータのデータ量や速度を変更したりするように構成されていてもよい。
【００４０】
また、制御部２２は、Ｍ２Ｍ通信用のデータの送信に失敗した場合の再送タイミングを変更してもよい。
【００４１】
また、かかる指示情報は、特定のＭ２Ｍアプリケーション３０によるＭ２Ｍ通信用のデータの送信を開始するための情報や、特定のＭ２Ｍアプリケーション３０によるＭ２Ｍ通信用のデータのデータ量や速度を増やすための情報を含んでもよい。
【００４２】
なお、制御部２２は、アクセスネットワーク２に対して指示情報やアクセスネットワーク２における通信状態について問い合わせるように構成されていてもよい。
【００４３】
図４に示すように、Ｍ２Ｍデバイス＃１/＃１１/＃１２は、Ｍ２Ｍアプリケーション３０と、アクセスネットワーク通信部３１と、Ｍ２Ｍサービスレイヤ制御部３２とを具備している。
【００４４】
アクセスネットワーク通信部３１は、アクセスネットワーク２、Ｍ２Ｍプラットフォーム１及びＭ２Ｍアプリケーションサーバ＃１〜＃Ｎのいずれかから、上述の指示情報を受信するように構成されている。
【００４５】
また、Ｍ２Ｍサービスレイヤ制御部３２は、アクセスネットワーク通信部３１によって受信された指示情報に基づいて、Ｍ２Ｍアプリケーション３０による通信方法（データの送信頻度や送信量や再送タイミングや送信すべき内容）を制御するように構成されている。
【００４６】
なお、アクセスネットワーク通信部３１は、アクセスネットワーク２、Ｍ２Ｍプラットフォーム１及びＭ２Ｍアプリケーションサーバ＃１〜＃Ｎのいずれに対して、上述の指示情報やアクセスネットワーク２における通信状態について問い合わせるように構成されていてもよい。
【００４７】
ここで、制御装置２Ａは、Ｍ２Ｍアプリケーションサーバ＃１〜＃Ｎ、Ｍ２Ｍプラットフォーム１及びＭ２Ｍデバイス＃１/＃１１/＃１２のうちの少なくとも１つに対して、サービスクラス及びアプリケーションを指定する指示情報を送信することによって、かかるサービスクラス及びアプリケーションに対応するＭ２Ｍアプリケーション３０による通信方法を制御する、すなわち、Ｍ２Ｍアプリケーション３０による通信の抑制又は緩和を指示するように構成されていてもよい。
【００４８】
かかる指示情報は、制御装置２Ａ（アクセスネットワーク２）から、Ｍ２Ｍデバイス＃１/＃１１/＃１２、Ｍ２Ｍプラットフォーム１及びＭ２Ｍアプリケーションサーバ＃１〜＃Ｎの少なくとも１つに対して送信されてもよい。
【００４９】
例えば、アクセスネットワーク２からＭ２Ｍデバイス＃１/＃１１/＃１２に対して指示情報が送信される場合、Ｍ２Ｍデバイス＃１/＃１１/＃１２は、かかる指示情報によって指定されているサービスクラスに対応するＭ２Ｍアプリケーション３０による通信を抑制又は緩和する。
【００５０】
ここで、かかる抑制又は緩和は、事前設定に従ったロジックを適用して行われてもよいし、或いは、かかる指示情報にて通知される情報に従って行われてもよい。
【００５１】
Ｍ２Ｍアプリケーション３０による通信を緩和する場合、指示情報は、通常の通信状態では、アクセスネットワーク２への負荷が懸念されるために送信を控えている大量のＭ２Ｍ通信用のデータの送信（例えば、Ｍ２Ｍアプリケーション３０やＯＳのアップデート情報等）について実施するように、その送信すべきデータの内容を指示してもよい。
【００５２】
なお、かかる事前設定は、アクセスネットワーク２からのデバイスマネジメント信号やＭ２Ｍプラットフォーム１からの所定信号やＭ２Ｍアプリケーションサーバ＃１〜＃Ｎからの所定信号のいずれか１つ以上によって行われてもよい。
【００５３】
Ｍ２Ｍプラットフォーム１は、複数のＭ２Ｍアプリケーションサーバ＃１〜＃Ｎから、特定のサービスクラスを指定する指示情報を受信した場合、同一のサービスクラスを指定する指示情報をまとめて、Ｍ２Ｍデバイス＃１/＃１１/＃１２に対して送信してもよい。
【００５４】
或いは、制御装置２Ａ（アクセスネットワーク２）は、上述のサービスクラスを設定せずに、一律に指示情報を送信するように構成されていてもよい。
【００５５】
ここで、指示情報の送信先が、Ｍ２Ｍデバイス＃１/＃１１/＃１２である場合、Ｍ２Ｍデバイス＃１/＃１１/＃１２は、Ｍ２Ｍプラットフォーム１或いはＭ２Ｍアプリケーションサーバ＃１〜＃Ｎによって指示されたロジックに従って、特定のＭ２Ｍアプリケーション３０による通信方法を制御してもよい。
【００５６】
また、指示情報の送信先が、Ｍ２Ｍプラットフォーム１である場合、Ｍ２Ｍプラットフォーム１は、Ｍ２Ｍアプリケーションサーバ＃１〜＃Ｎによって指示されたロジックに従って、特定のＭ２Ｍアプリケーション３０による通信方法を制御してもよいし、かかる指示情報をＭ２Ｍデバイス＃１/＃１１/＃１２に送信し、Ｍ２Ｍデバイス＃１/＃１１/＃１２におけるＭ２Ｍアプリケーション３０による通信方法を制御してもよい。
【００５７】
或いは、指示情報の送信先が、Ｍ２Ｍアプリケーションサーバ＃１〜＃Ｎである場合、Ｍ２Ｍアプリケーションサーバ＃１〜＃Ｎが、特定のＭ２Ｍアプリケーション３０による通信方法を制御してもよいし、かかる指示情報をＭ２Ｍデバイス＃１/＃１１/＃１２に送信し、Ｍ２Ｍデバイス＃１/＃１１/＃１２におけるＭ２Ｍアプリケーション３０による通信方法を制御してもよい。
【００５８】
ここで、Ｍ２Ｍデバイス＃１/＃１１/＃１２におけるＭ２Ｍアプリケーション３０による通信方法の制御は、通信モジュールを制御するアクセスネットワーク通信部３１の上位に位置するＭ２Ｍサービスレイヤ制御部３２で実施されてもよい。
【００５９】
かかる場合、Ｍ２Ｍサービスレイヤ制御部３２は、通信モジュールやＭ２Ｍプラットフォーム１やＭ２Ｍアプリケーションサーバ＃１〜＃Ｎのうちの少なくとも１つ以上から、上述の指示情報を受信してもよい。
【００６０】
また、かかる場合、Ｍ２Ｍサービスレイヤ制御部３２は、Ｍ２Ｍデバイス＃１/＃１１/＃１２内において、或いは、Ｍ２Ｍデバイス＃１/＃１１/＃１２外に接続される通信アプリケーションに対して、かかる指示情報を送信してもよい。
【００６１】
かかる場合、Ｍ２Ｍアプリケーション３０は、受信した指示情報に従って、通信方法の制御、例えば、データの送信頻度や送信量や再送タイミングや送信すべき内容の変更等を実施する。
【００６２】
Ｍ２Ｍデバイス＃１/＃１１/＃１２における通信方法の制御は、Ｍ２Ｍデバイス＃１/＃１１/＃１２が自律的にその実施有無を判断してもよい。かかる場合、かかる判断は、Ｍ２Ｍサービスレイヤ制御部３２で実施されてもよい。
【００６３】
なお、従来のＭ２Ｍ通信では、通信事業者は、Ｍ２Ｍアプリケーション３０及びＭ２Ｍアプリケーションサーバ＃１〜＃Ｎの動作について制御することができなかった。
【００６４】
そのため、従来のＭ２Ｍ通信では、一時的な輻輳しか回避することができず、通信規制が解除されると一度の大量のアクセスが発生したり、常時、輻輳回避のために規制情報を通知する必要があり、アクセスネットワーク２におけるアクセス規制が複雑になってしまうという問題点があった。
【００６５】
本実施形態に係る通信システムによれば、かかる問題点を解決することができる。
【００６６】
また、従来のＭ２Ｍ通信において、多くのＭ２Ｍデバイス＃１/＃１１/＃１２がアクセスネットワーク２を介して通信している状態で、新たなＭ２Ｍデバイスが接続開始を試みると、アクセスネットワーク２に大きな負荷を与えることになり、アクセスネットワーク２における通信品質が低下してしまうという問題点があった。
【００６７】
本実施形態に係る通信システムによれば、かかる問題点についても解決することができる。
【００６８】
すなわち、本実施形態に係る通信システムによれば、アクセスネットワーク２が、アクセスネットワーク２の通信状態に応じて、Ｍ２Ｍ通信の通信方法を指示する指示情報を通知することによって、特定のサービスクラスに対応するＭ２Ｍアプリケーション３０或いは特定のＭ２Ｍアプリケーション３０による通信方法を制御することを可能とし、Ｍ２Ｍプラットフォーム１及びＭ２Ｍアプリケーションサーバ＃１〜＃Ｎが、Ｍ２Ｍデバイス＃１/＃１１/＃１２に対して実施する通信方法を変更する指示情報に起因して、アクセスネットワークの負荷を低減することができる。
【００６９】
なお、上述した機能は、Ｍ２Ｍ通信に限定されるものではなく、同様の機能を具備した通常の通信に適用されてもよい。
【００７０】
以上に述べた本実施形態の特徴は、以下のように表現されていてもよい。
【００７１】
本実施形態の第１の特徴は、アクセスネットワーク２と、Ｍ２Ｍプラットフォーム（機械間通信用プラットフォーム）１と、Ｍ２Ｍプラットフォーム１に接続されているＭ２Ｍアプリケーションサーバ（機械間通信用アプリケーションサーバ）＃１〜＃Ｎと、Ｍ２Ｍアプリケーション（機械間通信用アプリケーション）３０を含むＭ２Ｍデバイス＃１/＃１１/＃１２とを含む通信システムであって、アクセスネットワーク２は、通信状態に応じて、Ｍ２Ｍプラットフォーム１、Ｍ２Ｍアプリケーションサーバ＃１〜＃Ｎ及びＭ２Ｍデバイス＃１/＃１１/＃１２の少なくとも１つに対して、Ｍ２Ｍアプリケーションによる通信方法を指示する指示情報を送信するように構成されており、Ｍ２Ｍプラットフォーム１は、かかる指示情報に基づいて、Ｍ２Ｍアプリケーション３０による通信方法を制御するように構成されていることを要旨とする。
【００７２】
本実施形態の第１の特徴において、上述の指示情報は、サービスクラス或いはアプリケーションを指定することができるように構成されており、Ｍ２Ｍデバイス＃１/＃１１/＃１２は、かかる指示情報によって指定されたサービスクラス或いはアプリケーションに対応するＭ２Ｍアプリケーション３０による通信方法を制御するように構成されていてもよい。
【００７３】
本実施形態の第１の特徴において、Ｍ２Ｍプラットフォーム１は、Ｍ２Ｍデバイス＃１/＃１１/＃１２に対して、上述の指示情報を受信することができるか否かについて設定することができるように構成されていてもよい。
【００７４】
本実施形態の第１の特徴において、Ｍ２Ｍプラットフォーム１は、Ｍ２Ｍデバイス＃１/＃１１/＃１２に対して、上述の指示情報を受信した際の動作について設定することができるように構成されていてもよい。
【００７５】
本実施形態の第１の特徴において、上述の通信方法の制御は、Ｍ２Ｍアプリケーション３０によるデータの送信頻度や送信量や再送タイミングや送信すべき内容の制御であってもよい。
【００７６】
本実施形態の第２の特徴は、アクセスネットワーク２と、Ｍ２Ｍプラットフォーム１と、Ｍ２Ｍプラットフォーム１に接続されているＭ２Ｍアプリケーションサーバ＃１〜＃Ｎと、Ｍ２Ｍアプリケーション３０を含むＭ２Ｍデバイス＃１/＃１１/＃１２とを含む通信システムにおいて用いられるように構成されており、アクセスネットワーク２を制御するように構成されている制御装置２Ａであって、アクセスネットワーク２における通信状態を検出するように構成されている検出部１１と、アクセスネットワーク２における通信状態に応じて、Ｍ２Ｍプラットフォーム１、Ｍ２Ｍアプリケーションサーバ＃１〜＃Ｎ及びＭ２Ｍデバイス＃１/＃１１/＃１２の少なくとも１つに対して、Ｍ２Ｍアプリケーション３０による通信方法を指示する指示情報を送信するように構成されている送信部１２とを具備することを要旨とする。
【００７７】
本実施形態の第３の特徴は、アクセスネットワーク２と、Ｍ２Ｍプラットフォーム１と、Ｍ２Ｍプラットフォーム１に接続されているＭ２Ｍアプリケーションサーバ＃１〜＃Ｎと、Ｍ２Ｍアプリケーション３０を含むＭ２Ｍデバイス＃１/＃１１/＃１２とを含む通信システムにおいてＭ２Ｍアプリケーションサーバ＃１〜＃Ｎとして動作するアプレケーションサーバであって、アクセスネットワーク２から、Ｍ２Ｍアプリケーションによる通信方法を指示する指示情報を受信するように構成されている受信部２１と、かかる指示情報に基づいて、Ｍ２Ｍアプリケーション３０による通信方法を制御するように構成されている制御部２２とを具備することを要旨とする。
【００７８】
本実施形態の第３の特徴において、制御部２２は、アクセスネットワーク２に対して、上述の指示情報を問い合わせるように構成されていてもよい。
【００７９】
本実施形態の第４の特徴は、アクセスネットワーク２と、Ｍ２Ｍプラットフォーム１と、Ｍ２Ｍプラットフォーム１に接続されているＭ２Ｍアプリケーションサーバ＃１〜＃Ｎとを含む通信システムにおいて用いられるように構成されており、Ｍ２Ｍアプリケーション３０を含むＭ２Ｍデバイス＃１/＃１１/＃１２であって、Ｍ２Ｍアプリケーション３０は、アクセスネットワーク２、Ｍ２Ｍプラットフォーム１及びＭ２Ｍアプリケーションサーバ＃１〜＃Ｎのいずれかから、Ｍ２Ｍアプリケーションによる通信方法を指示する指示情報を受信するように構成されているアプリケーション通信部（受信部）３１と、かかる指示情報に基づいて、Ｍ２Ｍアプリケーションによる通信方法を制御するように構成されているＭ２Ｍサービスレイヤ制御部（制御部）３２とを具備することを要旨とする。
【００８０】
本実施形態の第４の特徴において、アプリケーション通信部３１は、アクセスネットワーク２、Ｍ２Ｍプラットフォーム１及びＭ２Ｍアプリケーションサーバ＃１〜＃Ｎのいずれかに対して、上述の指示情報を問い合わせるように構成されていてもよい。
【００８１】
なお、上述のＭ２Ｍデバイス＃１/＃１１/＃１２や制御装置２ＡやＭ２Ｍアプリケーションサーバ＃１〜＃Ｎの動作は、ハードウェアによって実施されてもよいし、プロセッサによって実行されるソフトウェアモジュールによって実施されてもよいし、両者の組み合わせによって実施されてもよい。
【００８２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、Ｍ２Ｍデバイス＃１/＃１１/＃１２や制御装置２ＡやＭ２Ｍアプリケーションサーバ＃１〜＃Ｎ内に設けられていてもよい。また、かかる記憶媒体及びプロセッサは、ディスクリートコンポーネントとしてＭ２Ｍデバイス＃１/＃１１/＃１２や制御装置２ＡやＭ２Ｍアプリケーションサーバ＃１〜＃Ｎ内に設けられていてもよい。
【００８４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８５】
１…Ｍ２Ｍプラットフォーム（Ｍ２Ｍサービスレイヤ）
２…アクセスネットワーク
２Ａ…制御装置
３…コアネットワーク
４…無線アクセスネットワーク
１０…ゲートウェイ
１１…検出部
１２…送信部
２１…受信部
２２…制御部
３０…Ｍ２Ｍアプリケーション
３１…アプリケーション通信部
３２…Ｍ２Ｍサービスレイヤ制御部
【図１】
2014158190.tif 000003
【図２】
2014158190.tif 000004
【図３】
2014158190.tif 000005
【図４】
2014158190.tif 000006